(57)【要約】【課題】筐体と共にタッチパネルディスプレイを折り畳むことが可能な電子機器を提供する。【解決手段】電子機器は、第１筐体１１と、第２筐体１２と、連結部１３と、表示部２１と、第１検知部２２と、第２検知部２３と、を備える。連結部１３は、第１筐体１１と第２筐体１２とを開閉可能に連結する。表示部２１は、第１筐体１１と、第２筐体１２と、連結部１３と、に亘って配される。表示部２１は、可撓性を有する。第１検知部２２は、表示部２１に対向して第１筐体１１に配され、接触を検知する。第２検知部２３は、表示部２１に対向して第２筐体１２に配され、接触を検知する。【選択図】図４
2014164602.tif 000002
【特許請求の範囲】
【請求項１】
第１筐体と、
第２筐体と、
前記第１筐体と前記第２筐体とを開閉可能に連結する連結部と、
前記第１筐体と、前記第２筐体と、前記連結部と、に亘って配され、可撓性を有し、アイコンを表示可能な表示部と、
前記表示部に対向して前記第１筐体に配され、接触を検知する第１検知部と、
前記表示部に対向して前記第２筐体に配され、接触を検知する第２検知部と、
前記第１検知部及び前記第２検知部のそれぞれが前記連結部近傍の位置における接触を検知した場合、前記第１検知部と前記第２検知部との間に対応する位置に接触したとして処理を実行する制御部と、備える
電子機器。
【請求項２】
第１筐体と、
第２筐体と、
前記第１筐体と前記第２筐体とを開閉可能に連結する連結部と、
前記第１筐体と、前記第２筐体と、前記連結部と、に亘って配され、可撓性を有する表示部と、
前記表示部に対向して前記第１筐体に配され、接触を検知する第１検知部と、
前記表示部に対向して前記第２筐体に配され、接触を検知する第２検知部と、
を備える電子機器。
【請求項３】
前記第１検知部及び前記第２検知部のそれぞれが前記連結部近傍の位置における接触を検知した場合、前記第１検知部と前記第２検知部との間に対応する位置に接触したとして処理を実行する制御部をさらに備える
請求項２に記載の電子機器。
【請求項４】
前記制御部は、前記第１検知部及び前記第２検知部のそれぞれが前記連結部近傍の位置における接触を検知した場合、前記第１検知部における前記連結部側の端部から前記第２検知部における前記連結部側の端部までの間に対応する位置に接触したとして処理を実行する
請求項３に記載の電子機器。
【請求項５】
前記第１検知部及び前記第２検知部の少なくとも一方で検知される接触のパターンを記憶する記憶部と、
前記第１検知部及び前記第２検知部の少なくとも一方で接触を検知した場合に、当該接触が前記パターンに対応すると、前記第１検知部と前記第２検知部との間に対応する位置に接触したとして処理を実行する制御部と、
をさらに備える請求項２に記載の電子機器。
【請求項６】
前記連結部に隣接する隣接領域に対応する部分の前記表示部に第１アイコンが表示される場合に、前記第１検知部又は前記第２検知部によって前記第１アイコンへの接触が検知されると、カウントを開始するカウント部をさらに備え、
前記制御部は、前記カウント部によるカウントが所定カウント以内の場合に、前記第１アイコンへの接触に対応する操作が取消されると、前記第１検知部と前記第２検知部との間に対応する位置への接触があったと判断する
請求項３から５のいずれか１項に記載の電子機器。
【発明の詳細な説明】
【技術分野】
【０００１】
本発明は、筐体を折り畳み可能な電子機器に関する。
【背景技術】
【０００２】
電子機器には、筐体の全面にわたって可撓性の表示部を配したタイプがある。その電子機器では、筐体の折り畳みに伴って、表示部が折り畳まれるようになっている（特許文献１参照）。
【先行技術文献】
【特許文献】
【０００３】
【特許文献１】特開２００４−１０９３８２号公報
【発明の概要】
【発明が解決しようとする課題】
【０００４】
従来の電子機器に配される表示部は、画像の表示のみ行うタイプである。このため、折り畳みが可能となっている。ところで、近年では、接触を検知する検知部（タッチセンサ）と可撓性の表示部が存在する。タッチセンサと表示部とを重ね合わせて湾曲させた場合、表示部と検知部との接触位置にストレスが加わる。このため、単にタッチセンサと表示部とを重ね合わせただけでは、筐体を折り畳むときに、上記貼り合わせ部に屈曲耐久性の問題が発生する可能性がある。すなわち、筐体を折り畳むタイプの電子機器に、タッチセンサと可撓性の表示部とを重ね合わせたものを搭載することができない可能性があった。
【０００５】
本発明は、筐体と共にタッチセンサと可撓性のディスプレイとを重ね合わせたものを折り畳むことが可能な電子機器を提供することを目的とする。
【課題を解決するための手段】
【０００６】
本発明に係る電子機器は、第１筐体と、第２筐体と、連結部と、表示部と、第１検知部と、第２検知部と、制御部と、を備える。前記連結部は、前記第１筐体と前記第２筐体とを開閉可能に連結する。前記表示部は、前記第１筐体と、前記第２筐体と、前記連結部と、に亘って配される。前記表示部は、可撓性を有する。前記表示部は、アイコンを表示可能である。前記第１検知部は、前記表示部に対向して前記第１筐体に配され、接触を検知する。前記第２検知部は、前記表示部に対向して前記第２筐体に配され、接触を検知する。前記制御部は、前記第１検知部及び前記第２検知部のそれぞれが前記連結部近傍の位置における接触を検知した場合、前記第１検知部と前記第２検知部との間に対応する位置に接触したとして処理を実行する。
【０００７】
本発明に係る電子機器は、第１筐体と、第２筐体と、連結部と、表示部と、第１検知部と、第２検知部と、を備える。前記連結部は、前記第１筐体と前記第２筐体とを開閉可能に連結する。前記表示部は、前記第１筐体と、前記第２筐体と、前記連結部と、に亘って配される。前記表示部は、可撓性を有する。前記第１検知部は、前記表示部に対向して前記第１筐体に配され、接触を検知する。前記第２検知部は、前記表示部に対向して前記第２筐体に配され、接触を検知する。
【０００８】
電子機器は、制御部をさらに備えることが好ましい。その制御部は、前記第１検知部及び前記第２検知部のそれぞれが前記連結部近傍の位置における接触を検知した場合、前記第１検知部と前記第２検知部との間に対応する位置に接触したとして処理を実行する。
【０００９】
前記制御部は、前記第１検知部及び前記第２検知部のそれぞれが前記連結部近傍の位置における接触を検知した場合、前記第１検知部における前記連結部側の端部から前記第２検知部における前記連結部側の端部までの間に対応する位置に接触したとして処理を実行することが好ましい。
【００１０】
電子機器は、記憶部をさらに備えることが好ましい。前記記憶部は、前記第１検知部及び前記第２検知部の少なくとも一方で検知される接触のパターンを記憶する。この場合、前記制御部は、前記第１検知部及び前記第２検知部の少なくとも一方で接触を検知した場合に、当該接触が前記パターンに対応すると、前記第１検知部と前記第２検知部との間に対応する位置に接触したとして処理を実行する。
【００１１】
電子機器は、カウント部をさらに備えることが好ましい。前記カウント部は、前記連結部に隣接する隣接領域に対応する部分の前記表示部に第１アイコンが表示される場合に、前記第１検知部又は前記第２検知部によって前記第１アイコンへの接触が検知されると、カウントを開始する。この場合、前記制御部は、前記カウント部によるカウントが所定カウント以内の場合に、前記第１アイコンへの接触に対応する操作が取消されると、前記第１検知部と前記第２検知部との間に対応する位置への接触があったと判断する。
【発明の効果】
【００１２】
本発明によれば、筐体と共にタッチパネルディスプレイを折り畳むことが可能な電子機器を提供することができる。
【図面の簡単な説明】
【００１３】
【図１】筐体が開状態となる場合の電子機器の斜視図である。
【図２】筐体が閉状態となる場合の電子機器の斜視図である。
【図３】電子機器の構成について説明するための図である。
【図４】表示部及び検知部について説明するための図である。
【図５】接触のパターンの一例について説明するための図である。
【発明を実施するための形態】
【００１４】
以下に、本発明の電子機器の一実施形態について説明する。電子機器１の一実施形態は、折り畳み式のタブレット型コンピュータ、又は、折り畳み式の電子書籍等である。しかし、本発明の電子機器は、その一実施形態に限定されることはない。
【００１５】
図１は、筐体１１，１２が開状態となる場合の電子機器１の斜視図である。図２は、筐体１１，１２が閉状態となる場合の電子機器１の斜視図である。図３は、電子機器１の構成について説明するための図である。図４は、表示部２１及び検知部２２，２３について説明するための図である。
【００１６】
電子機器１は、第１筐体１１と、第２筐体１２と、連結部１３と、を備える。
連結部１３は、第１筐体１１と第２筐体１２とを開閉可能に連結する。連結部１３は、例えば、第１筐体１１と、第２筐体１２とをヒンジで結合する。連結部１３は、第１筐体１１と第２筐体１２とが平面状になるように、第１筐体１１と第２筐体１２とを開状態にすることができる（図１参照）。連結部１３は、第１筐体１１と、第２筐体１２とが重なって折り畳まれるように、第１筐体１１と第２筐体１２とを閉状態にすることができる（図２参照）。
【００１７】
また、電子機器１は、表示部２１と、第１検知部２２と、第２検知部２３と、を備える。すなわち、電子機器１は、タッチパネルディスプレイ２０を備える。
【００１８】
表示部２１は、第１筐体１１と、第２筐体１２と、連結部１３と、に亘って配される。表示部２１は、第１筐体１１と第２筐体１２とが開状態となる場合、略全面をユーザに視認させることが可能なように配される。表示部２１は、例えば、液晶パネル又は有機ＥＬ（Ｅｌｅｃｔｒｏｌｕｍｉｎｅｓｃｅｎｃｅ）パネル等である。表示部２１は、可撓性を有する。このため、第１筐体１１と第２筐体１２とが閉状態となる（折り畳まれる）場合、表示部２１は、第１検知部２２と第２検知部２３との間に対応する位置が湾曲して、折り畳まれる。第１筐体１１と第２筐体１２とが閉状態となった場合、例えば、表示部２１は、電子機器１の外部に露出する。表示部２１は、アイコンを表示することが可能である。そのアイコンは、例えば、第１アイコン４１又は第２アイコン４２等である（図４参照）。表示部２１は、アイコンばかりでなく、他の画像を表示することも可能である。
【００１９】
第１検知部２２は、表示部２１に対向して第１筐体１１に配され、接触を検知する。第１検知部２２は、連結部１３及び第２筐体１２には配されない。第１検知部２２は、例えば、ユーザの指又はスタイラスペン等の接触物がタッチパネルディスプレイ２０に接触した場合、その接触を検知する。第１検知部２２は、例えば、静電容量方式のタッチパネルである。
【００２０】
第２検知部２３は、表示部２１に対向して第２筐体１２に配され、接触を検知する。第２検知部２３は、連結部１３及び第１筐体１１には配されない。第２検知部２３は、例えば、ユーザの指又はスタイラスペン等の接触物がタッチパネルディスプレイ２０に接触した場合、その接触を検知する。第２検知部２３は、例えば、静電容量方式のタッチパネルである。
【００２１】
また、電子機器１は、カウント部３１と、制御部３２と、を備える。
カウント部３１は、表示部２１に第１アイコン４１（図４参照）が表示される場合に、第１アイコン４１への接触が検知されると、カウントを開始する。第１アイコン４１は、連結部１３に隣接する隣接領域に対応する部分の表示部２１に表示されるアイコンである。隣接領域は、一例として、連結部１３から、１ｃｍ、２ｃｍ、３ｃｍ、４ｃｍ又は５ｃｍ等までの距離にある領域である。隣接領域は、第１アイコン４１の大きさに応じて適宜変更されることが可能である。第１アイコン４１への接触の検知は、第１検知部２２又は第２検知部２３によって検知される。第１アイコン４１が表示部２１の第１筐体１１側に表示される場合には、第１アイコン４１への接触は、第１検知部２２によって検知される。第１アイコン４１が表示部２１の第２筐体１２側に表示される場合には、第１アイコン４１への接触は、第２検知部２３によって検知される。
【００２２】
制御部３２は、カウント部３１によるカウントが所定カウント以内の場合に、第１アイコン４１への接触に対応する操作が取消されると、第２アイコン４２（図４参照）に接触したと判断する。第２アイコン４２は、表示部２１における第１検知部２２と前記第２検知部２３との間に対応する位置に表示されるアイコンである。第１検知部２２と前記第２検知部２３との間に対応する位置には、第１検知部２２及び第２検知部２３が配置されていない。このため、表示部２１に第１検知部２２と前記第２検知部２３との間に対応する位置に表示される第２アイコン４２に対する接触については、電子機器１は、直接的に検知することができない。しかし、タッチパネルディスプレイ２０における第１検知部２２と第２検知部２３との間に対応する位置に接触物が接触した場合、第１検知部２２が配される領域又は第２検知部２３が配される領域に接触物の端部がはみ出して、第１検知部２２又は第２検知部２３によって接触が検知される可能性がある。第２アイコン４２に隣接して表示される第１アイコン４１への接触を第１検知部２２又は第２検知部２３が検知した場合に、その検知に対応する操作が取消されると、制御部３２は、次のように判断する。すなわち、制御部３２は、第１アイコン４１への接触ではなく、第２アイコン４２への接触であったと判断する。
【００２３】
制御部３２は、例えば、取消ボタン（図示せず）が操作された場合、又は、第１アイコン４１へ接触を検知したことに基づいて表示部２１に表示される画面が遷移したときに、前画面に戻るためのボタン（図示せず）が操作された場合等に、第１アイコン４１への接触に対応する操作が取消されたと判断する。制御部３２は、第１アイコン４１への接触に対応する操作が取消されたと判断した場合、すなわち、第２アイコン４２に接触したと判断した場合、第２アイコン４２に関連付けられる動作を実行する。
【００２４】
上述したように、電子機器１は、第１筐体１１と、第２筐体１２と、連結部１３と、表示部２１と、第１検知部２２と、第２検知部２３と、を備える。これにより、電子機器１は、第１筐体１１と第２筐体１２とを閉状態にするときに、表示部２１と、第１検知部２２及び第２検知部２３との貼り合わせ部に屈曲耐久性の問題が発生する可能性がない。すなわち、筐体１１，１２を折り畳むタイプの電子機器１に、タッチパネルディスプレイ２０を搭載することができる。電子機器１は、第１筐体１１及び第２筐体１２の折り畳みに伴って、タッチパネルディスプレイ２０を折り畳むことができる。
また、電子機器１は、カウント部３１と、制御部３２と、を備える。これにより、電子機器１は、検知部２２，２３が配されない領域に対する操作であっても、所定の動作を実行することができる。
【００２５】
電子機器１は、第１筐体１１と、第２筐体１２と、連結部１３と、表示部２１と、第１検知部２２と、第２検知部２３と、を備える。連結部１３は、第１筐体１１と第２筐体１２とを開閉可能に連結する。表示部２１は、第１筐体１１と、第２筐体１２と、連結部１３と、に亘って配され、可撓性を有する。第１検知部２２は、表示部２１に対向して第１筐体１１に配され、接触を検知する。第２検知部２３は、表示部２１に対向して第２筐体１２に配され、接触を検知する。
この場合、制御部３２は、第１検知部２２及び第２検知部２３のそれぞれが連結部１３近傍の位置における接触を検知した場合、第１検知部２２と第２検知部２３との間に対応する位置に接触したとして処理を実行する。
【００２６】
第１検知部２２及び第２検知部２３それぞれが接触を検知した場合とは、第１検知部２２及び第２検知部２３のうちの一方が接触物の接触を検知した後、所定時間内に他方が接触物の接触を検知した場合である。又は、第１検知部２２及び第２検知部２３それぞれが接触を検知した場合とは、第１検知部２２と第２検知部２３とが同時に又は略同時に接触物の接触を検知した場合である。第１検知部２２と第２検知部２３との間に対応する位置とは、連結部１３に対応する部分である。
【００２７】
検知部（タッチパネル）２２，２３は、微弱な静電容量の変化も検出する。その微弱な静電容量の変化を第１検知部２２及び第２検知部２３の両方で検出した場合には、制御部３２は、表示部２１における第１検知部２２と第２検知部２３との間で接触したものとして処理する。
【００２８】
制御部３２は、第１検知部２２と第２検知部２３のそれぞれが接触を検知した場合、第１検知部２２において接触を検知した位置（第１位置）と、第２検知部２３において接触を検知した位置（第２位置）との間の部分に接触物が接触したと判断する。例えば、制御部３２は、第１位置と第２位置とを結ぶ直線上の部分に接触物が接触したと判断する。第１検知部２２と第２検知部２３との間に対応する位置に、例えば、アイコンが表示されている場合には、アイコンに接触したとして、制御部３２は、そのアイコンに関連付けられる動作を実行する。
【００２９】
これにより、電子機器１は、連結部１３に検知部２２，２３が配されない場合でも、第１検知部２２と第２検知部２３との間に対応する位置への接触を検知して、所定の動作を実行することができる。
【００３０】
制御部３２は、第１検知部２２及び第２検知部２３のそれぞれが接触を検知した場合、第１検知部２２における連結部１３側の端部から第２検知部２３における連結部１３側の端部までの間に対応する位置に接触したとして処理を実行する。第１検知部２２及び第２検知部２３それぞれが接触を検知した場合とは、第１検知部２２及び第２検知部２３のうちの一方が接触物の接触を検知した後、所定時間内に他方が接触物の接触を検知した場合である。又は、第１検知部２２及び第２検知部２３それぞれが接触を検知した場合とは、第１検知部２２と第２検知部２３とが同時に又は略同時に接触物の接触を検知した場合である。第１検知部２２における連結部１３側の端部から第２検知部２３における連結部１３側の端部までの間に対応する位置とは、連結部１３に対応する部分である。
【００３１】
制御部３２は、第１検知部２２と第２検知部２３のそれぞれが接触を検知した場合、第１検知部２２において接触を検知した位置（第１位置）と、第２検知部２３において接触を検知した位置（第２位置）との間の部分に接触物が接触したと判断する。例えば、制御部３２は、第１位置と第２位置とを結ぶ直線上の部分に接触物が接触したと判断する。第１検知部２２と第２検知部２３との間に対応する位置に、例えば、アイコンが表示されている場合には、アイコンに接触したとして、制御部３２は、そのアイコンに関連付けられる動作を実行する。
【００３２】
これにより、電子機器１は、連結部１３に検知部２２，２３が配されない場合でも、第１検知部２２と第２検知部２３との間に対応する位置への接触を検知して、所定の動作を実行することができる。
【００３３】
また、電子機器１は、記憶部３３を備える。記憶部３３は、第１検知部２２及び第２検知部２３の少なくとも一方で検知される接触のパターンを記憶する。
【００３４】
図５は、接触のパターンの一例について説明するための図である。
例えば、第１検知部２２に対応する部分に指が接触した場合には、図５（ａ）に示すようなパターンになる。すなわち、図５（ａ）に示すパターンは、例えば、指の先端部分の全体を第１検知部２２で検知した場合のパターンである。この場合、パターンは、略楕円形になる。
【００３５】
一方、タッチパネルディスプレイ２０における第１検知部２２と第２検知部２３との間に対応する位置に指が接触した場合、第１検知部２２が配される領域に指の端部がはみ出す可能性がある。すなわち、指の一部の接触が第１検知センサで検知される。この場合には、第１検知部２２は、図５（ｂ）、図５（ｃ）又は図５（ｄ）に示すようなパターンを検知する。すなわち、図５（ｂ）に示すパターンは、指先の左側の大部分を第１検知部２２で検知した場合のパターンである。図５（ｃ）に示すパターンは、指先の半分程度を第１検知部２２で検知した場合のパターンである。図５（ｄ）に示すパターンは、指先の左側の僅かな部分を第１検知部２２で検知した場合のパターンである。
接触は、第２検知部によっても検知されることが可能である。第２検知部２３で検知されるパターンは、図５に示されるパターンとは対称な形状になる。
【００３６】
制御部３２は、第１検知部２２及び第２検知部２３の少なくとも一方で接触を検知した場合に、その接触がパターンに対応すると、第１検知部２２と第２検知部２３との間に対応する位置に接触したとして処理を実行する。制御部３２は、第１検知部２２及び第２検知部２３の少なくとも一方で接触を検知した場合に、検知したときの接触のパターンが、例えば、図５（ｂ）、図５（ｃ）又は図５（ｄ）に示すようなパターンに一致又は類似すると、次のような動作を行う。すなわち、制御部３２は、タッチパネルディスプレイ２０における第１検知部２２と第２検知部２３との間に対応する位置であり、且つ、第１検知部２２及び第２検知部２３の少なくとも一方で検知した接触の位置に近接する部分への接触であると判断して、処理を実行する。制御部３２は、接触したと判断した位置に、例えば、アイコンが表示されている場合には、アイコンに接触したとして、そのアイコンに関連付けられる動作を実行する。
なお、制御部３２は、第１検知部２２及び第２検知部２３との両方の接触パターンがそれぞれ第１検知部２２における所定のパターン、第２検知部２３における所定のパターンに該当するか否かを判定し、該当すると判定された場合には、第１検知部２２と第２検知部２３との間の表示部２１に接触されたものとして、当該第１検知部２２と第２検知部２３との間の表示部２１に表示されたアイコンに関連付けられる動作を実行してもよい。
【００３７】
これにより、電子機器１は、連結部１３に検知部２２，２３が配されない場合でも、第１検知部２２と第２検知部２３との間に対応する位置への接触を検知して、所定の動作を実行することができる。
【００３８】
電子機器１は、第１筐体１１と、第２筐体１２と、連結部１３と、表示部２１と、第１検知部２２と、第２検知部２３と、を備える。連結部１３は、第１筐体１１と第２筐体１２とを開閉可能に連結する。表示部２１は、第１筐体１１と、第２筐体１２と、連結部１３と、に亘って配され、可撓性を有する。第１検知部２２は、表示部２１に対向して第１筐体１１に配され、接触を検知する。第２検知部２３は、表示部２１に対向して第２筐体１２に配され、接触を検知する。
【００３９】
この場合、電子機器１は、カウント部３１と、制御部３２と、をさらに備える。カウント部３１は、表示部２１に第１アイコン４１が表示される場合に、第１アイコン４１への接触が検知されると、カウントを開始する。第１アイコン４１は、連結部１３に隣接する隣接領域に対応する部分の表示部２１に表示される。隣接領域は、一例として、連結部１３から、１ｃｍ、２ｃｍ、３ｃｍ、４ｃｍ又は５ｃｍ等までの距離である。隣接領域は、第１アイコン４１の大きさに応じて適宜変更されることが可能である。第１アイコン４１への接触の検知は、第１検知部２２又は第２検知部２３によって検知される。第１アイコン４１が表示部２１の第１筐体１１側に表示される場合には、第１アイコン４１への接触は、第１検知部２２によって検知される。第１アイコン４１が表示部２１の第２筐体１２側に表示される場合には、第１アイコン４１への接触は、第２検知部２３によって検知される。
【００４０】
制御部３２は、カウント部３１によるカウントが所定カウント以内の場合に、第１アイコン４１への接触に対応する操作が取消されると、第１検知部２２と第２検知部２３との間に対応する位置への接触があったと判断する。第１検知部２２と第２検知部２３との間に対応する位置には、検知部２２，２３が配置されていない。このため、第１検知部２２と第２検知部２３との間に対応する位置の表示部２１への接触については、電子機器１は、直接的に検知することができない。しかし、タッチパネルディスプレイ２０における第１検知部２２と第２検知部２３との間に対応する位置に接触物が接触した場合、第１検知部２２が配される領域又は第２検知部２３が配される領域に接触物の端部がはみ出して、第１検知部２２又は第２検知部２３によって接触が検知される可能性がある。第１アイコン４１への接触を第１検知部２２又は第２検知部２３が検知した場合に、その検知に対応する操作が取消されると、制御部３２は、次のように判断する。すなわち、制御部３２は、第１アイコン４１への接触ではなく、表示部２１における第１検知部２２と第２検知部２３との間に対応する位置であり、且つ、第１検知部２２又は第２検知部２３で検知した接触の位置に近接する部分への接触であると判断する。制御部３２は、例えば、取消ボタン（図示せず）が操作された場合、又は、第１アイコン４１へ接触を検知したことに基づいて表示部２１に表示される画面が遷移したときに、前画面に戻るためのボタン（図示せず）が操作された場合等に、第１アイコン４１への接触に対応する操作が取消されたと判断する。
【００４１】
これにより、電子機器１は、連結部１３に検知部が配されない場合でも、第１検知部２２と第２検知部２３との間に対応する位置への接触を検知することができる。
【符号の説明】
【００４２】
１  電子機器
１１  第１筐体
１２  第２筐体
１３  連結部
２１  表示部
２２  第１検知部
２３  第２検知部
３１  カウント部
３２  制御部
３３  記憶部
４１  第１アイコン
４２  第２アイコン
【図１】
2014164602.tif 000003
【図２】
2014164602.tif 000004
【図３】
2014164602.tif 000005
【図４】
2014164602.tif 000006
【図５】
2014164602.tif 000007